(57)【要約】　　　（修正有）【課題】水流が速い場所においても上下動がスムーズに行えるかつ水中膜の傾斜のない上下可動可能な水中膜を提供することを目的とする。【解決手段】水中膜の上部近傍部の両端部に、水中膜に対してそれぞれ直角方向にアームを設け、該アームに補助フロートを設け、かつ前記水中膜の上部近傍部の両端部にリングを設け、該リングをガイドポールに挿通し、該ガイドポールを固定してなる。上下可動可能な水中膜。【選択図】図３
2004143897.tif 000002
【特許請求の範囲】
【請求項１】
水中膜の上部近傍部の両端部に、水中膜に対してそれぞれ直角方向にアームを設け、該アームに補助フロートを設け、かつ前記水中膜の上部近傍部の両端部にリングを設け、該リングをガイドポールに挿通し、該ガイドポールを固定することを特徴とする上下可動可能な水中膜。
【請求項２】
水中膜の上部近傍部の両端部に、水中膜に対してそれぞれ直角方向にアームを設け、該アームに補助フロートを設け、かつ前記水中膜の上部近傍にリングを設け、該リングにロープを結んで船で曳航する水中膜の使用方法。
【請求項３】
水中膜の中間部に任意の数の補助フロート体を設けてなる請求項１また２記載の水中膜およびその使用方法。
【請求項４】
補助フロートの挿通口にパイプを貫通させ、該パイプの上下端部をＬ字型アームの一端に一体に設けたことを特徴とする補助フロート体。
【発明の詳細な説明】
【０００１】
【発明の属する技術分野】
本発明は、水位の変化により上下に可動可能な水中膜に関する。
【０００２】
【従来の技術】
従来、ポンプ所等に展張されている水位の変化により上下に可動するオイルフェンス１等は、オイルフェンスの上部近傍にリング２を設け、このリングを護岸等に設けられたガイドポール３に挿通して設置されていた（図１参照）。また他の方法として護岸等に設けられた中空管４を用い、該中空管に垂直にスリット状の切り欠き部５を設け、該中空管内を摺動可能なフロート状金具６をオイルフェンス１の両端部に設けた装置が知られている（図２参照）。
しかしながら図１のような装置はリングの重みで長時間の間に水平位置が保たれずに垂れさがった状態になったり、水流によって水中膜が傾斜することによってリングが斜めになることからガイドポールとの間に摩擦力が増大して結果的にはリングがガイドポールに引っかかる状態となり、水位の変化によって水中膜が上下に可動することが不可能となる欠点があった。
【０００３】
また、図２に示したような摺動部を有する場合中空管内壁とフロート状金具との間に異物が挿まったり、水流によって水中膜が傾斜したりすると図１の装置と同様に水中膜が水位の変化によって上下することが不可能になる欠点があった。
【０００４】
【発明が解決しようとする課題】
そこで本発明者は、水流によって水中膜が傾斜したり、リングの変位によって水中膜が上下に可動しなくならないような水中膜について種々研究を重ねた結果本発明を完成するに至った。
【０００５】
【課題を解決するための手段】
すなわち、本発明は、水中膜の上部近傍部の両端部に、水中膜に対してそれぞれ直角方向（二方向）にアームを設け、該アームに補助フロートを設け、かつ前記水中膜の上部近傍部の両端部にリングを設け、該リングを、ガイドポールに挿通し、該ガイドポールを護岸等に固定してなる、水位の変化によって上下に可動可能な水中膜である。
【０００６】
【発明の実施の形態】
次に本発明をさらに詳細に説明するために図面を参照しながら説明するが、本発明は以下の説明のみに限定されるものではない。
【０００７】
図３Ｂは、本発明に係る水中膜の一部を切り欠いた端部部分の側面図を示す。本発明の水中膜７は多数のフロート８をテンションゴムベルト９で挾着してフロート部１０を構成し、このフロート部１０の下部にカーテン１１を一体に設ける。フロート部１０の両端部（図３は左側部のみ）には取付金具１２によって該フロート部を挾持するように設ける。
更にフロート部１０の両端部の強度補強並びに水面上の浮遊物を岸壁と水中膜の隙間からの流出を防止するために例えば補強用テンションゴムベルト１３を一体に設ける。取付金具１２は図４Ａに示すようにシャックル１４を取り付けるための穴１６を設け、また取付金具１２同志を挾着固定するためのボルト挿通穴１７が設けられている。また取付金具１２には挾着した場合に強固に固定するために滑り止めの凸部１８が設けられている。さらに取付金具１２の上端部には必要により漂流防止チェーン等を装着すための金具１９を設けることもできる。またシャックル１４は鎖２０によって取付金具１２に連結することによってシャックル１４の上下の変動を制御することができる。
【０００８】
また本発明の水中膜はその両端部の取付金具１２に図５に示す補助フロート体２１を設ける。この補助フロート体２１は、中心部にパイプ挿通口２２を有し、この挿通口２２の上下にパッキン２３を設け、そこにパイプ２４を挿入してストッパー２５により固定する。このように構成したパイプ２４の上、下端をＬ字状のアーム２６の一端の直線部に一体に設け、他端のＬ字状に屈曲した部分２７を取付金具１２に例えばボルトナットで一体に設ける。なお、補助フロート体２１と取付金具１２を一体にすると、オイルフェンス等にボルトナットで簡単に装着が可能に成り、緊急時のオイルフェンス等の展張にも使用できる。
【０００９】
図５では補助フロートＦは１個装着する場合を示したが、例えば図６に示すように水中に水没する補助フロート２８と水面上に露出する補助フロート２９とを設ける等することもできる。これらの補助フロート２８，２９はそれぞれ異なる形状のものも使用することができる。
【００１０】
図７では補助フロート体２１は、護岸等に設けられた該中空管４内を摺動可能なフロート状金具６とオイルフェンス１の接合部に取付けることもできる。フロート状金具６に補助フロート体２１を取付けることで、水流によってオイルフェンスが傾斜しても、フロート状金具６の安定が保たれ、上下可動可能なオイルフェンスとなる。
【００１１】
前記補助フロート体２１は水中膜の両端部に一体に設ける他に任意の中間部にも相対して設けることができる。このように水中膜の中間部に設けることによって水中膜全体の傾斜を防止することができる。
【００１２】
また本発明の水中膜は多重展張することによって本発明の効果を一層向上させることができるので好適である。
【００１３】
また本発明の水中膜の他の使用態様としては、例えば図８に示すように両端部のリング１５にワイヤーを結んで船等で曳航して使用することができる。この場合特に水中膜の中間部に補助フロート体２１を設けることによって水中膜の傾斜を効果的に防止することができる。
【００１４】
本発明の補助フロート体２１のアーム１９の長さを長くすれば水中膜の傾斜を防止することができる。
【００１５】
【発明の効果】
本発明の水中膜は水流が速くとも水中膜の傾斜がなく、また上下可動する場合にガイドポールにリング１５が引っかかることもなく水位の変化に応じてスムーズに上下動を行うことができる。
【図面の簡単な説明】
【図１】従来の上下可動可能な水中膜の一部を示す側面図
【図２】従来の上下可動可能な水中膜における摺動部分を示した傾斜図
【図３Ａ】本発明の水中膜の一部を示した平面図
【図３Ｂ】図３Ａの取付金具の側面図
【図４Ａ】本発明に用いる取付金具の正面図
【図４Ｂ】図４Ａの取付金具の側面図
【図５】本発明の補助フロートの他の態様を示した側面図
【図６】本発明の補助フロートの他の態様を示した正面図
【図７】本発明の補助フロートを摺動部分に取付けた態様を示した傾斜図
【図８】本発明の補助フロートを船等で曳航して使用する態様を示した平面図
【符号の説明】
８・・・・・フロート
９・・・・・テンションゴムベルト
１１・・・・・カーテン
１５・・・・・リング
２６・・・・・アーム
Ｆ・・・・・補助フロート
【図１】
2004143897.tif 000003
【図２】
2004143897.tif 000004
【図３】
2004143897.tif 000005
【図４】
2004143897.tif 000006
【図５】
2004143897.tif 000007
【図６】
2004143897.tif 000008
【図７】
2004143897.tif 000009
【図８】
2004143897.tif 000010